(57)【要約】【課題】結束用紐を用いた十文字型結束を容易に行うことができ、古紙と共にリサイクルが可能であり、低コストで簡便に製造できる結束補助具を提供すること。【解決手段】結束用紐を用いて十文字型結束を行うための結束補助具であって、平板状部材の平面上略中心点において略９０°の角度をもって交差する直線である２本の領域境界線によって分割された第一領域乃至第四領域からなる４つの領域を右回りに昇順に有し、第二領域に接して第一領域に設けられた第一開口部、第四領域に接して第一領域に設けられた第二開口部、第二領域に接して第三領域に設けられた第三開口部、及び第四領域に接して第三領域に設けられた第四開口部を有することを特徴とする結束補助具。【選択図】  図１
2004149176.tif 000002
【特許請求の範囲】
【請求項１】
結束用紐を用いて十文字型結束を行うための結束補助具であって、平板状部材の平面上略中心点において略９０°の角度をもって交差する直線である２本の領域境界線によって分割された第一領域乃至第四領域からなる４つの領域を右回りに昇順に有し、第二領域に接して第一領域に設けられた第一開口部、第四領域に接して第一領域に設けられた第二開口部、第二領域に接して第三領域に設けられた第三開口部、及び第四領域に接して第三領域に設けられた第四開口部を有することを特徴とする結束補助具。
【請求項２】
前記平板状部材が、紙であることを特徴とする請求項１に記載の結束補助具。
【請求項３】
前記第一開口部と前記第二開口部とが一緒になって第一領域に１つの開口として形成された第一領域開口部、及び／又は、前記第三開口部と前記第四開口部とが一緒になって第三領域に１つの開口として形成された第三領域開口部を有することを特徴とする請求項１又は２に記載の結束補助具。
【請求項４】
結束用紐の一端を固定するために設けられた紐固定用開口部を有し、該紐固定用開口部が、前記第一乃至第四開口部のいずれとも別に設けられていることを特徴とする請求項１乃至３のいずれかに記載の結束補助具。
【請求項５】
前記領域境界線に対して略４５°の角度を有する切り離し線が、前記領域境界線の交差点を通って第一及び第三領域を通るように設けられており、かつ、前記紐固定用開口部が前記切り離し線上に設けられており、該切り離し線に、切り離されるべき加工が施されていることを特徴とする請求項１乃至４に記載の結束補助具。
【請求項６】
前記第二領域及び第四領域に、運搬用の持ち手となるべき欠損部が存在するか、又は、該欠損部を形成するための加工が施されていることを特徴とする請求項１乃至５に記載の結束補助具。
【請求項７】
新聞紙、折り込み広告、雑誌、段ボールから選ばれる１種以上を含む紙束を結束するために用いられることを特徴とする請求項１乃至６のいずれかに記載の結束補助具。
【発明の詳細な説明】
【０００１】
【発明の属する技術分野】
本発明は、新聞や雑誌等の束を、結束用紐を用いて十文字型結束するための結束補助具に関する。
【０００２】
【従来の技術】
近年、新聞、雑誌、段ボール等の古紙を回収し、リサイクルして再生紙として使用する取り組みが進められ、実用化されている。特に、新聞紙は、紙質が単一で供給量も多いため、安定してリサイクル資源として活用しやすく、回収及び再生が一般的に行われている。
これらの古紙は、およそ新聞紙八つ折り大に折りたたみ、新聞約１か月分、すなわち４０〜４５ｃｍ程度の厚さに積み重ね、ビニール紐等により十文字型に結束してから回収されるのが一般的である。しかしながら、運搬中に結束が解けないように硬く結束することは困難であり、十文字に紐をかけたり、結束中に紐がゆるまないようにしたりすることは非常に困難であった。
【０００３】
このような問題点を解決するために、例えば、装置の片面上に設けた鉤状突起を利用して紐の結束方向を９０°転換し、さらに装置に別途設けられた孔を利用して紐を締め上げる緊縛装置が提案されている（例えば特許文献１参照。）。
【０００４】
【特許文献１】
実開平５−６１０６６号公報
【０００５】
【発明が解決しようとする課題】
しかしながら、上記特許文献１において提案された緊縛装置には、紐の結束方向を９０°転換するための鉤状突起が設けられているため、取り扱い時に手等を傷つけるおそれがあり危険である。また、結束時にかかる紐の負荷に耐えられるだけの強度を有する鉤状突起である必要があるため、金属等の硬質の素材で装置を作成する必要があり、古紙と共にそのままリサイクルできる紙等の素材で装置を作成することはできなかった。
本発明は、かかる従来技術の問題点に鑑みてなされたものであり、結束用紐を用いた十文字型結束を容易に行うことができ、古紙と共にリサイクルが可能であり、低コストで簡便に製造できる結束補助具を提供することを課題とする。
【０００６】
【課題を解決するための手段】
本発明者らは、上記の課題を解決すべく鋭意検討した結果、平板状部材の特定箇所に結束用紐を通すための開口部を設け、該開口部を通すことによって紐の結束方向を略９０°転換することにより、十文字型結束を容易に行うことができることを見出し、本発明を完成するに至った。
【０００７】
すなわち、本発明は、結束用紐を用いて十文字型結束を行うための結束補助具であって、平板状部材の平面上略中心点において略９０°の角度をもって交差する直線である２本の領域境界線によって分割された第一領域乃至第四領域からなる４つの領域を右回りに昇順に有し、第二領域に接して第一領域に設けられた第一開口部、第四領域に接して第一領域に設けられた第二開口部、第二領域に接して第三領域に設けられた第三開口部、及び第四領域に接して第三領域に設けられた第四開口部を有することを特徴とする結束補助具である。
【０００８】
本発明の結束補助具は、上述のように第一乃至第四開口部を有しているため、結束用紐を開口部に通すことによって、紐の結束方向を略９０°転換することができ、十文字型結束を容易に行うことができる。
【０００９】
本発明の結束補助具においては、平板状部材が、紙であることが好ましい。部材として紙が用いられていれば、新聞等の紙束を結束した後、そのまま一緒に回収してリサイクルすることができるからである。
【００１０】
また、第一開口部と第二開口部とが一緒になって第一領域に１つの開口として形成された第一領域開口部、及び／又は、第三開口部と第四開口部とが一緒になって第三領域に１つの開口として形成された第三領域開口部を有することが好ましい。
第一領域及び／又は第三領域に１つの開口部を設けることにより、開口部をより大きくすることができるため、結束用紐を通しやすくすることができる。
【００１１】
本発明の結束補助具においては、結束用紐の一端を固定するために設けられた紐固定用開口部を有し、該紐固定用開口部が、前記第一乃至第四開口部のいずれとも別に設けられていることが好ましい。
紐固定用開口部が、第一乃至第四開口部のいずれとも別に設けられていると、結束用紐の始端を、結束時に邪魔にならない場所に、容易に固定することができる。
【００１２】
また、本発明の結束補助具においては、前記領域境界線に対して略４５°の角度を有する切り離し線が、前記領域境界線の交差点を通って第一及び第三領域を通るように設けられており、かつ、前記紐固定用開口部が前記切り離し線上に設けられており、該切り離し線に、切り離されるべき加工が施されていることが好ましい。
このような切り離し線が設けられていると、結束補助具をなす素材が、結束する紙束等の素材と異なっており一緒にリサイクルすることができない場合に、結束用補助具として使用した後、切り離して取り去り、結束補助具と紙束等とを別々に処理することができる。
【００１３】
さらに、前記第二領域及び第四領域に、運搬用の持ち手となるべき欠損部が存在するか、又は、該欠損部を形成するための加工が施されていることが好ましい。運搬用の持ち手を形成させることにより、結束した後の紙束等を、より容易に運搬することができるからである。
欠損部が存在又は形成された際には、第一領域から第三領域に向かう幅が，第二領域から第四領域に向かう幅よりも長くされていることが好ましい。
【００１４】
本発明の結束補助具は、新聞紙、折り込み広告、雑誌、段ボールから選ばれる１種以上を含む紙束を結束するために用いられることが好ましい。本発明の結束補助具は、これらの紙束に容易に十文字型結束をおこなうことができ、リサイクル資源の運搬、回収に有用だからである。
【００１５】
【発明の実施の形態】
以下、図を参照しつつ、本発明の実施形態を説明する。なお、この実施形態は本発明の要旨を説明するためのものであり、特に限定のない限り本発明を限定するものではない。
【００１６】
図１は、本発明にかかる結束補助具の一実施形態の平面模式図である。図１に示すように、本実施形態の結束補助具１は、平板状の部材１０からなっている。部材１０は、その平面上略中心点において略９０°の角度をもって交差する直線である２本の領域境界線Ａ−Ａ’及びＢ−Ｂ’によって分割された４つの領域から構成される。すなわち、第一領域１１は、図１において、領域境界線Ａ−Ａ’の上側でかつ領域境界線Ｂ−Ｂ’の右側の領域、第二領域１２は、領域境界線Ａ−Ａ’の下側でかつ領域境界線Ｂ−Ｂ’の右側の領域、第三領域１３は、領域境界線Ａ−Ａ’の下側でかつ領域境界線Ｂ−Ｂ’の左側の領域、第四領域１４は、領域境界線Ａ−Ａ’の上側でかつ領域境界線Ｂ−Ｂ’の左側の領域である。
【００１７】
部材１０としては、紙、木製の板、プラスチック板等を用いることができるが、特に紙を用いることが好ましい。部材として紙を用いると、結束した紙束と共にそのままリサイクルに提供することができる。紙の中でも特に板紙を用いることが好ましい。これは、板紙は、結束用紐を締めるときの力に対して適当な摩擦抵抗及び強度を有しており、かつ低コストで製造することができるからである。
部材１０の外形は、例えば、１０ｃｍ×１０ｃｍ×厚さ約５ｍｍの図１に示されたような略正方形の平板状であるが、形状や寸法はこれに限定されず任意である。例えば、後述するように、第二領域及び第四領域に、運搬用の持ち手となるべき欠損部が存在していてもよい。また、図１に示すように、角を丸めた略正方形としておくと、手等を傷つけることなく安全であるため好ましい。
部材１０が、平板状の紙である場合には、部材１０の表面上に、結束補助具１の使用方法等を印刷しておくことができる。また、新聞社のサービス品等として、新聞結束用の補助具とする場合には、部材１０の表面上に新聞社の社名や広告等を掲載することができる。
【００１８】
第一領域１１には、部材１０の表面から裏面に貫通する略円形の開口部である第一領域開口部２１が設けられている。この第一領域開口部２１は、領域境界線Ａ−Ａ’上の２１ａにおいて第二領域１２と接しており、また、領域境界線Ｂ−Ｂ’上の２１ｂにおいて第四領域１４と接している。すなわち、第一領域開口部２１は、本発明における第一開口部及び第二開口部が、一緒に形成された開口部である。
さらに、上記と同様にして、第三領域１３には、部材１０の表面から裏面に貫通する略円形の開口部である第三領域開口部２３が設けられている。この第三領域開口部２３は、領域境界線Ｂ−Ｂ’上の２３ａにおいて第二領域１２と接しており、また、領域境界線Ａ−Ａ’上の２３ｂにおいて第四領域１４と接している。すなわち、第三領域開口部２３は、本発明における第三開口部及び第四開口部が、一緒に形成された開口部である。
上記第一領域開口部及び第二領域開口部の形状は、例えば、図１に示すように、直径３ｃｍの略円形であるが、形状や寸法はこれに限定されず任意であり、楕円形等の開口部とすることも可能である。また、図１に示すような閉じられた開口部ではなく、部材１０の第一領域及び第三領域をそれぞれ分断するようなＵ字型の開口部であっても構わない。
第一領域開口部２１及び第三領域開口部２３が領域境界線Ａ−Ａ’に接する位置は２１ａ、２３ｂの位置に限定されず、領域境界線Ａ−Ａ’上  であれば接する位置は任意である。また、第一領域開口部２１及び第三領域開口部２３が領域境界線Ｂ−Ｂ’に接する位置は２１ｂ，２３ａの位置に限定されず、領域境界線Ｂ−Ｂ’上であれば接する位置は任意である。
【００１９】
また、部材１０の略中心点である、領域境界線Ａ−Ａ’とＢ−Ｂ’との交差点上には、部材の表面から裏面に貫通する略円形の開口部である紐固定用開口部２５が設けられている。
この紐固定用開口部２５は、例えば、図１に示すような直径２ｍｍの略円形である。この紐固定用開口部２５は、結束用紐の始端を、結束が行えて、かつ結束時に邪魔にならないように固定するための開口部であれば、形状、大きさ等は問わず、閉じた開口部のみならず、切り欠き型の開口部であってもよい。上記のように直系２ｍｍの略円形であれば、固定用紐の始端を開口部に通した後、結束補助具１の片面側で玉結びをすることによって、結束用紐を容易に固定することができるため好ましい。
【００２０】
さらに、領域境界線Ａ−Ａ’、Ｂ−Ｂ’に対して略４５°の角度を有する切り離し線３０が、領域境界線の交差点を通って、第一領域及び第三領域を通るように設けられている。すなわち、切り離し線３０は、第一領域と第三領域とを、部材１０の対角線上に、第一領域開口部２１、第三領域開口部２３、及び紐固定用開口部２５を横断するように通って形成されている。
上記切り離し線３０には、切り離されるべき加工がなされている。切り離されるべき加工とは、例えば、ミシン目加工や、切り離すための線を印刷により表示することなどが挙げられるが、ミシン目加工が施されていると、使用者が道具を使わずに容易に切り離すことができるため好ましい。このように切り離されるべき加工が施されていると、板紙等の部材１０からなる結束補助具１と、結束する紙束等とが、一緒にリサイクルのための回収を行うことができない場合に、結束終了時に結束補助具１を切り離して取り去ることにより、結束した紙束等のみを回収することができるため好ましい。
【００２１】
また、第二領域１２及び第四領域１４には、運搬用の持ち手となるべき欠損部を形成するためのミシン目加工が、図１に示すように、それぞれミシン目３２，３４のように施されている。このようなミシン目加工が施されていると、結束前又は結束終了後に使用者が切り離して運搬用の持ち手とすることができ、紙束のような重たく持ちにくいものを容易に運べるため好ましい。
運搬用の持ち手となるべき欠損部を形成するための加工としては、上記のようなミシン目加工のほか、切り離すため又は折り曲げるための線を印刷により表示することなどが挙げられるが、ミシン目加工が施されていると、使用者が道具を使わずに容易に切り離すことができるため好ましい。また、予めこの運搬用の持ち手となるべき欠損部が存在している部材１０を用いてもよいが、ミシン目加工を施す方が、欠損部を切り離すよりも製造が容易で低コストであり、かつ、部材の平面面積が広い方が、上述したように使用方法や広告等を印刷することができるため好ましい。
上記運搬用の持ち手となるべき欠損部の形状としては、図１に示すように、略４分の１円状であってもよいし、直線や任意の曲線でもよく、運搬用に持ち手となるよう、手で握りやすい形状となっていれば形状は任意である。
【００２２】
次に、本実施形態の結束補助具１の製造方法を説明する。
まず、部材１０を、１０ｃｍ×１０ｃｍの角を丸めた略正方形に裁断する。そして、第一領域開口部２１、第三領域開口部２３、及び紐固定用開口部２５となるべき孔を穿つ。さらに、切り離し線３０、ミシン目３２，３４となるべき線にミシン目加工を施す。以上のように、簡易な方法により、低コストで、結束補助具１を製造することができる。この方法は簡便に行うことができるため、量産にも好適に用いられる。なお、上記の裁断、穿孔、及びミシン目加工を行う順序は任意である。
【００２３】
次に、この結束補助具１を使用した、結束紐を用いての十文字型結束の方法について説明する。以下に、図２を参照しながら、新聞紙束を十文字結束する場合の結束方法の一例を示す。なお、下述するのは結束方法の１例であり、開口部に穴を通す順序や紐による結束の方向等は、本発明の特徴であるように開口部を利用して紐の角度を９０°転換するものであれば、その他の結束方法もありえる。
【００２４】
（ａ）まず、予めミシン目３２，３４に沿って部材を切り離し、第二及び第四領域に運搬用の持ち手となるべき欠損部を形成した結束補助具１を用意する。次に、結束用紐Ｓの始端側を紐固定用開口部２５の表面から裏面に通し、結束紐Ｓの始端Ｓｂを１５ｃｍ程度残した状態で玉結びＳａを行い、紐Ｓの始端を固定する。このように紐Ｓの始端が固定された結束補助具１を、新聞紙束Ｐの上面の略中央部に、領域境界線Ａ−Ａ’が新聞紙束Ｐの巾方向と平行になるように配置する。
（ｂ）紐固定用開口部２５から結束補助具１の表面側に出ている結束用紐Ｓの他端を、Ａ−Ａ’線と略水平にＡ’方向へ引く。そして、紐Ｓを新聞紙束Ｐの側面に沿って略垂直方向へ下ろした後、新聞紙束Ｐの底面の下を通ってＡ−Ａ’線と略水平にＡ方向へ導き、紐Ｓを新聞紙束Ｐの側面に沿って持ち上げる。次に、新聞紙束Ｐ表面上に配置された結束補助具１の表面から第三領域開口部２３を通って裏面へ、続けて第一領域開口部２１を通って表面へと紐Ｓを通す。
（ｃ）上記のように通した紐ＳをＢ方向へ引っ張ると、結束補助具１の第一領域開口部２３の２３ｂ及び第三領域開口部２１の２１ｂと接することにより、紐Ｓが略９０°方向転換される。続いて、紐Ｓを新聞紙束Ｐ側面に沿って垂直方向へ下ろし、新聞紙束Ｐの底面の下を通ってＢ’−Ｂ線と略水平にＢ’方向へ導く。紐Ｓを新聞紙束Ｐの側面に沿って持ち上げ、新聞紙束Ｐ表面上に配置された結束補助具１の表面から第三領域開口部２３を通って裏面へ、続けて第一領域開口部２１を通って表面へと紐を通す。
（ｄ）上記のように通した紐ＳをＡ’方向へ引っ張ると、結束補助具１の第一領域開口部２３の２３ａ及び第三領域開口部２１の２１ａと接することにより、紐が略９０°方向転換される。さらに、上記（ｂ）〜（ｃ）の操作を１度以上繰り返し行う。次に、２３ｂに接している紐束及び２３ａに接している紐束をまとめるように、紐Ｓを巻いて通し、紐Ｓの終端を巻いた輪の中に通す。
（ｅ）紐の終端を引っ張って締め付けることにより、結束が終了する。
【００２５】
さらに、部材１０が、新聞紙と共にリサイクルすることができない素材である場合には、以下の操作により結束補助具１を新聞紙束Ｐから除去する。
（ｆ）ミシン目加工が施されている切り離し線３０のミシン目に沿って、部材１０を切り離すことにより、結束補助具１’，１’を新聞紙束Ｐから除去する。その後、始めに１５ｃｍ程度残しておいた紐の始端Ｓｂを、終端と結んで結束が解けないようにする。
【００２６】
以上のように、本実施形態の結束補助具１を用いると、紐を開口部２１，２３に通すことにより、紐の方向を略９０°転換させることができ、かつ、部材１０との接触部分の摩擦抵抗により、無理な力をかけることなく容易に締めを行うことができる。また、上記方法によると、結束の最終段階で紐をはじめて結び合わせるので、最終的な増し締めと結束を同時に行うことができ、結束のゆるみの発生を最小限に押さえることができる。
【００２７】
上記のような結束補助具１を用いる十文字型結束方法において、結束用紐としては、ビニール紐、布紐、紙紐等を用いることができるが、紙紐を用いると紙束を結束したままリサイクルを行うことができるため好ましい。
【００２８】
次に、本発明にかかる結束補助具の第二実施形態を図３に示す。
本実施形態の結束補助具２は、第一実施形態の結束補助具１と同様に略正方形の平板状の部材１０からなっている。この結束補助具２では、部材の表面から裏面に貫通する略円形の開口部として、第二領域に接して第一領域に設けられた第一開口部４１、第四領域に接して第一領域に設けられた第二開口部４２、第二領域に接して第三領域に設けられた第三開口部４３、及び第四領域に接して第三領域に設けられた第四開口部４４を有している。また、紐固定用開口部２５が、領域境界線の交差点上に設けられている。この第一開口部４１、第二開口部４２、第三開口部４３、及び第四開口部４４は、上記第一領域開口部２１及び第三領域開口部２３と同様に、形状や大きさは任意である。
【００２９】
本実施形態の結束補助具２を用いても、上記第一実施形態の場合と同様の方法により結束を行うことができる。この場合は、上記（ｂ）において、第四開口部４４から第二開口部４２に、及び（ｃ）において第三開口部４３から第一開口部４１に紐を通すことによって、上述の方法と同様に紙束を結束することができる。
【００３０】
次に、本発明にかかる結束補助具の第三実施形態を図４に示す。
本実施形態の結束補助具３においては、ひょうたん型の部材１０が用いられており、第一実施形態と同様に、第一領域１１には、部材１０の表面から裏面に貫通する略円形の開口部である第一領域開口部２１が設けられている。この第一領域開口部２１は、領域境界線Ａ−Ａ’上の２１ａにおいて第二領域１２と接しており、また、領域境界線Ｂ−Ｂ’上の２１ｂにおいて第四領域１４と接している。すなわち、第一領域開口部２１は、本発明における第一開口部及び第二開口部が、一緒に形成された開口部である。
さらに、上記と同様にして、第三領域１３には、部材１０の表面から裏面に貫通する略円形の開口部である第三領域開口部２３が設けられている。この第三領域開口部２３は、領域境界線Ｂ−Ｂ’上の２３ａにおいて第二領域１２と接しており、また、領域境界線Ａ−Ａ’上の２３ｂにおいて第四領域１４と接している。すなわち、第三領域開口部２３は、本発明における第三開口部及び第四開口部が、一緒に形成された開口部である。
この結束補助具３を用いて、第一実施形態の場合と同様にして紙束を結束することができる。
【００３１】
さらに、本発明にかかる結束補助具の第四実施形態を図５に示す。
本実施形態の結束補助具４においては、第一領域開口部２１及び第三領域開口部２３が、上記第一乃至第三実施形態のように部材の表面から裏面に貫通する略円形の開口部ではなく、部材１０の第一領域及び第三領域をそれぞれ分断するようなＵ字型の開口部となっている。このＵ字型の第一領域開口部２１は、領域境界線Ａ−Ａ’上の２１ａにおいて第二領域１２と接しており、また、領域境界線Ｂ−Ｂ’上の２１ｂにおいて第四領域１４と接している。すなわち、第一領域開口部２１は、本発明における第一開口部及び第二開口部が、一緒に形成された開口部である。また、Ｕ字型の第三領域開口部２３は、領域境界線Ｂ−Ｂ’上の２３ａにおいて第二領域１２と接しており、また、領域境界線Ａ−Ａ’上の２３ｂにおいて第四領域１４と接している。すなわち、第三領域開口部２３は、本発明における第三開口部及び第四開口部が、一緒に形成された開口部である。
上記のように第一及び第三領域開口部がＵ字型の開口部となっている場合でも、図５に示すように、開口部が１１ａ，１１ｂ，１３ａ，１３ｂのように鉤型に加工されていると紐がずれて結束が解けることを防ぐことができる。この結束補助具４を用いても、第一実施形態の場合と同様にして紙束を結束することができる。
【００３２】
なお、上述の第一乃至第４の実施形態において、いずれの場合も紐固定用開口部２５は、部材の略中心点すなわち領域境界線の交差点上に設けたが、開口部を設ける場所は任意である。ただし、切り離し線３０を設ける場合には、切り取り線により部材１０が２つに分断されるようにするため、紐固定用開口部５は切り離し線３０上に設ける。
また、第二乃至第四実施形態においては、切り離し線３０を設けていないが、リサイクル用に部材を切り離せるようにするため、切り離し線３０を設けてもよい。
【００３３】
次に、本発明にかかる結束補助具の第五実施形態を図６に示す。
本実施形態の結束補助具５においては、上述の結束補助具１における第一領域開口部２１と第三領域開口部２３とが連通して、図６に示すようなひょうたん型の連通開口部２０となっている。この連通開口部２０は、領域境界線Ａ−Ａ’上の２１ａにおいて第二領域１２と接しており、また、領域境界線Ｂ−Ｂ’上の２１ｂにおいて第四領域１４と接している。さらに、連通開口部２０は、領域境界線Ｂ−Ｂ’上の２３ａにおいて第二領域１２と接しており、また、領域境界線Ａ−Ａ’上の２３ｂにおいて第四領域１４と接している。すなわち、連通開口部２０は、本発明における第一開口部、第二開口部、第三開口部、及び第四開口部が、一緒に形成された開口部である。
また、本実施形態の結束補助具５においては、結束補助具１における紐固定用開口部２５及び切り離し線３０が設けられていないが、その他の構成は、結束補助具１と同様である。
【００３４】
本実施形態の結束補助具５を用いて新聞紙束Ｐの結束を行う場合、まず、部材１０の連通開口部２０に突出した部分である突出部３１に、紐Ｓの始端を巻きつけて結んで固定する。その後、上記結束補助具１を使用した結束方法の場合と同様に、２３ｂから２１ｂへ、及び２１ａから２３ａへ紐Ｓを通して略９０°方向転換させることにより、十文字結束を行う。最後に、上記と同様に２３ｂに接している紐束及び２３ａに接している紐束をまとめるように、紐Ｓを巻いて通し、紐Ｓの終端を巻いた輪の中に通す。このとき、突出部３１に巻いて固定しておいた紐Ｓの始端を引き抜いて突出部３１からはずし、紐Ｓの始端と終端部を結んで結束を終了させる。このように十文字結束を行うと、結束した紐Ｓと結束補助具５とは分離された状態になっているため、結束補助具５を水平方向に移動させることにより簡単に新聞紙束Ｐから除去することができる。
【００３５】
【発明の効果】
以上説明したように、本発明の結束補助具を用いると、結束紐を用いた十文字型結束を容易に行うことができる。また、本発明の結束補助具は、低コストで簡便に製造することができる。
【図面の簡単な説明】
【図１】本発明の結束補助具の第一実施形態を示す平面模式図である。
【図２】本発明の結束補助具を用いた結束方法の一例を示す模式図である。
【図３】本発明の結束補助具の第二実施形態を示す平面模式図である。
【図４】本発明の結束補助具の第三実施形態を示す平面模式図である。
【図５】本発明の結束補助具の第四実施形態を示す平面模式図である。
【図６】本発明の結束補助具の第五実施形態を示す平面模式図である。
【符号の説明】
１・・結束補助具、１０・・部材、１１・・第一領域、１２・・第二領域、１３・・第三領域、１４・・第四領域、２１・・第一領域開口部、２３・・第二領域開口部、２５・・紐固定用開口部、３０・・切り離し線、３２，３４・・ミシン目、４１・・第一開口部、４２・・第二開口部、４３・・第三開口部、４４・・第４開口部
【図１】
2004149176.tif 000003
【図２】
2004149176.tif 000004
【図３】
2004149176.tif 000005
【図４】
2004149176.tif 000006
【図５】
2004149176.tif 000007
【図６】
2004149176.tif 000008